(57)【要約】【課題】被洗浄面に強い付着力にて汚れ等がこびり付いている場合であっても、汚れ等を迅速に剥離させて除去できると共に、被洗浄面である車体に傷を付けることが無く、高い洗浄性が発揮される洗車機用洗浄ブラシ及びその洗車機用洗浄ブラシを搭載した洗車機を提供する。【解決手段】自動車あるいは車両の外面の被洗浄面に付着した汚れ等を洗浄する為の洗車機に使用する洗車機用洗浄ブラシにおいて、前記洗車機用洗浄ブラシはブラシ片と緩衝材にて形成されてあると共に、前記洗車機用洗浄ブラシの軸体には穴部を備え、前記穴部より洗浄液あるいは乾燥風を吐出する構成としたものである。【選択図】      図１
2007313976.tif 000002
【特許請求の範囲】
【請求項１】
自動車あるいは車両の外面の被洗浄面に付着した汚れ等を洗浄する為の洗車機に使用する洗車機用洗浄ブラシにおいて、前記洗浄ブラシは軸体、及びチャンネルブラシを有すると共に、前記チャンネルブラシはブラシ片及び緩衝材を挟み付けて形成されてあり、前記軸体にたいして前記チャンネルブラシを巻きつけて形成されてあることを特徴とする洗車機用洗浄ブラシ。
【請求項２】
請求項１記載の構成よりなる洗車機用洗浄ブラシにおいて、前記チャンネルブラシは前記ブラシ片の外方に前記緩衝材が形成されてあることを特徴とする洗車機用洗浄ブラシ。
【請求項３】
請求項１から２記載の構成よりなる洗車機用洗浄ブラシにおいて、前記軸体は少なくとも一端部に液体、あるいは気体の流入手段を有すると共に、外周部に前記流入手段に連通する穴部が形成されてあることを特徴とする洗車機用洗浄ブラシ。
【請求項４】
請求項１から３記載の構成よりなる洗車機用洗浄ブラシにおいて、前記穴部は、前記チャンネルブラシの幅Ｗ以上の開口幅を有する事を特徴とする洗車機用洗浄ブラシ。
【請求項５】
駆動源と、被洗浄面に散布する洗浄剤及び水を噴出させるノズルと、洗浄後の被洗浄面を乾燥させる乾燥手段を備えると共に、請求項１から４のいずれかに記載の洗車機用洗浄ブラシを搭載した洗車機。
【発明の詳細な説明】
【技術分野】
【０００１】
本発明は、自動車あるいは車両の外面の被洗浄面に付着した汚れ等を洗浄する為の洗車機に使用する洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に関しては、使用目的に応じて、さまざまな改良がなされ、特に、洗車機に使用されるブラシにおいて、布製ブラシ単体とスポンジ製ブラシ単体との両方を使用していて、前記スポンジ製ブラシ単体は、厚みを大きくして強度的にも強く形成でき、さらに水を含みづらいものにできることで、ブラシの全体重量を軽くできて、駆動装置に負荷がかからないようにできるとともに、冬場に凍結が生じ難くできる。また、布製ブラシ単体によって、その柔軟性により被洗浄車両の外面を傷つける事を減少でき、さらに水を含み易くて保水性を向上できて、洗い残しなどない洗い上がりの良い洗浄を行う事ができる。しかも布製ブラシ単体は、耐久性が良くて、取り替えなどの補修作業の頻度を低くできると共に、スポンジ製ブラシ単体により布製ブラシ単体を両側から規制して、布製ブラシ単体の形状が波状にバラつく事を防止できると共に、織布製ブラシ単体どうしが水分でくっつくことを防止できる。また布製ブラシ単体の作用半径を長く設定したときには、柔軟性のある布製ブラシ単体群を被洗浄車両に対して広範囲でかつ密状に接触できることになり、以洗い残しなどない洗い上がりの良い洗浄を促進できる。また、スポンジ製ブラシ単体の作用半径を長く設定した時には、布製ブラシ単体群に対する両側からの規制を十分に行う事ができ、サイドブラシを回転させたときのブラシ形状を均一化させて、外観の良いものにできる。以上の特徴を有する洗車機が、特開２００３−４８５２０号公報に開示されてある。
【０００３】
また、自動洗車機に関して、車体形状認識装置を用い、車体の形状を認識させる事により、洗車ブラシあるいは、乾燥ノズルの適正な位置決めを行うことを特徴とする自動洗車機用の車体形状認識装置が特開平６−２７３１３４号公報に開示されてある。
【０００４】
また、複数の様々に分布したブラシ毛を支持した管状本体を備え、この管状本体を回転駆動するモータ減速ユニットと結合でき、前記ブラシ毛が、前記管状本体に対応して、流体を搬送するための複数のチャンネルを備え、前記チャンネルが関連するブラシの内側から外側に向かって、前記ブラシ毛に流体を噴霧する複数のノズルを備え、ブラシ毛を潤滑および洗浄する手段を持つことを特徴とするブラシ毛を内側から圧力潤滑および洗浄する手段を有する車洗浄ブラシが、特表２００３−５２５７２８号公報に開示されてある。
【０００５】
【特許文献１】特開２００３−４８５２０号公報
【特許文献２】特開平６−２７３１３４号公報
【特許文献３】特表２００３−５２５７２８号公報
【発明の開示】
【発明が解決しようとする課題】
【０００６】
従来の洗車機においては、例えば、上記の如くの特徴を有する技術が開示されてあるが、特開２００３−４８５２０号公報においては、ブラシを構成する材質のスポンジ製あるいは、布製の使用比率、配置、使用量、形状等を好適に変化させる事により、凍結防止、洗浄音低下、外面の傷付き防止、保水性向上、耐久性向上、くっつき防止、ばらつき防止、好洗浄性、形状の均一化等を図っているが、ブラシを構成するスポンジあるいは、布は、軸体にたいして、外側に向かって放射状に配置されている。前記軸体は、硬質な素材、例えば、アルミニューム等で形成されており、前記軸体はカバーされることなく、剥き出しの状態であり、車体や突起した様々なアイテムが前記軸体に接触した場合、折損する場合があった。
【０００７】
また、特開平６−２７３１３４号に開示されてある技術においては、車体形状認識装置を用い、車体の形状をX、Y、Zの各座標にデータ化し、車体形状を認識させる事により、洗車ブラシあるいは、乾燥ノズルの適正な位置を決め、洗車用ブラシを車体から一定間隔を保ち洗車することが可能としているが、自動車などには、アンテナ、コーナーポールさらには、ワイパーの他、突起した様々なアイテムが車体に取り付けられている。前記アンテナ、コーナーポールは形状が細小の為、認識装置で感知されない場合が多く、ブラシの管状本体に直接接触し、折損する場合があった。また、車体形状認識装置では、ワイパーは車体と同一に認識される為、回避される事無く、洗車ブラシにより車体から離立した後、ブラシの管状本体に直接接触し折損する場合があった。
【０００８】
また、特表２００３−５２５７２８号公報に開示されてある技術においては、
長く延びた管状本体を備え、この管状本体が、複数の様々に分布したブラシ毛を支持し、前記管状本体を回転駆動するモータ減速ユニットと結合でき、前記ブラシが、前記管状本体に対応して、流体を搬送するための複数のチャンネルを備え、前記チャンネルが関連するブラシの内側から外側に向かって、前記ブラシ毛に流体を噴霧する複数のノズルを備えるとしているが、管状本体は、洗車機使用時には回転しており、流体を搬送するための複数のチャンネルにたいし、常に連通するように流体供給部を接続するには複雑な構造を必要とする問題があった。また、洗車ブラシの軸体等が洗浄面に、接触し折損する場合があった。
【０００９】
本発明は、上記のような課題を解決する為になされたもので、車体に取り付けられた、突起した様々なアイテムに、傷や折損を与えるダメージを緩和すると共に、軸体より洗浄液、水などの流体を吐出し、汚れ等を迅速に洗い流す、あるいは、軸体より熱風などの気体を吐出する事により、洗浄面の乾燥を迅速に行う事ができる洗車機用洗浄ブラシのブラシ片、及び洗車機用洗浄ブラシ及び洗車機を安価に提供することを目的としている。
【課題を解決するための手段】
【００１０】
自動車あるいは車両の外面の被洗浄面に付着した汚れ等を洗浄する為の洗車機に使用する洗車機用洗浄ブラシにおいて、前記洗浄ブラシは軸体、及びチャンネルブラシを有すると共に、前記チャンネルブラシはブラシ片及び緩衝材を挟み付けて形成されてあり、前記軸体にたいして前記チャンネルブラシを巻きつけて形成されてあることを特徴とする洗車機用洗浄ブラシ。
【００１１】
そして、本発明は、上記目的を達成する為に、第１の課題解決手段は、洗車機に使用する洗車機用洗浄ブラシにおいて、前記洗浄ブラシは軸体、及びチャンネルブラシを有すると共に、前記チャンネルブラシはブラシ片及び緩衝材を挟み付けて形成されてあり、さらに、前記軸体にたいして前記チャンネルブラシを巻きつけて形成されてある構成としたものである。
【００１２】
また、第２の課題解決手段は、第１の課題解決手段の洗車機用洗浄ブラシにおいて、チャンネルブラシは前記ブラシ片の外方両面に前記緩衝材が形成されてある構成としたものである。
【００１３】
また、第３の課題解決手段は、第１から第２の課題解決手段の洗車機用洗浄ブラシにおいて、前記軸体は少なくとも一端部に液体、あるいは気体の流入手段を有すると共に、外周面に前記流入手段に連通する穴部が形成されてある構成としたものである。
【００１４】
また、第４の課題解決手段は、第１から第３の課題解決手段の洗車機用洗浄ブラシにおいて、前記穴部は、チャンネルブラシの底部の幅Ｗ以上の開口幅を有する構成としたものである。
【００１５】
また、第５の課題解決手段は、駆動源と、被洗浄面に散布する洗浄剤及び水を噴出させるノズルと、洗浄後の被洗浄面を乾燥させる乾燥手段を備えると共に、第１から第４のいずれかに記載の洗車機用洗浄ブラシを搭載し構成された洗車機である。
【００１６】
上記第1の課題解決手段による作用は、次の通りである。洗車機用洗浄ブラシは、少なくとも、ブラシ軸体に緩衝材をブラシ片と共に巻きつけることにより、軸体外側に緩衝材の層が形成される。例えば、車体に取り付けられた様々な突起アイテムが、ブラシ軸体に近接する場合においても、直接ブラシ軸体に接触する事が無く、軸体外側の緩衝材により、前記突起アイテムのダメージを最小限に抑えることができる。
【００１７】
また、第２の課題解決手段による作用は、チャンネルブラシはブラシ片を内側に緩衝材を外方に配置し、略コの字状に成型されたチャンネル材に挟み付けて形成されている。緩衝材を外方に配置する事により、前記チャンネル材と洗浄用ブラシの軸体は、前記緩衝材により覆われる為、前記チャンネル材と洗浄用ブラシの軸体が直接被洗浄面に接触することを防止でき、被洗浄面の損傷を回避できる。また、前記チャンネルブラシは外方に前記緩衝材が形成されてある為、カシメ部位に掛かる引張りあるいは、曲げ応力は緩衝材により、分散され、破断を防止できる。
【００１８】
また、第３の課題解決手段による作用は、洗車機用洗浄ブラシのブラシ軸体表面部に穴部を設けてある。前記穴部からは、洗浄液を吐出する事でブラシ片は、高い洗浄性を可能にする。また、前記、穴部から乾燥風を吐出する事により、洗浄面の迅速な乾燥を実現できる。
【００１９】
また、第４の課題解決手段による作用は、前記、穴部は、チャンネルブラシの底部の幅Ｗ以上の開口幅を有する為、丸穴に比較し目詰まりし難いと共に、隣接したチャンネルブラシに間隔をつけて巻きつける事で、開口部を塞ぐ事無く、外面に開口部を確保できる。
【００２０】
また、第５の課題解決手段による作用は、上記第１の課題解決手段から第４の課題解決手段のいずれか１項に記載の洗車機用洗浄ブラシを搭載した洗車機である為、緩衝材により洗浄面に損傷を与え難くすると共に、ブラシ片が破断し難い。
また、軸体中空部に例えば、洗浄液を供給し、連通した穴部より吐出することで、洗浄効果を高める事ができる。さらに、前記軸体中空部に例えば、乾燥風を供給し、連通した穴部より吐出することで、洗浄面の迅速な乾燥が可能となる。
【発明の効果】
【００２１】
本発明の洗車機用洗浄ブラシ及び洗車機は、洗車機用洗浄ブラシを構成するチャンネルブラシの外方両面に緩衝材を加える事により、ブラシ軸体あるいは、チャンネル材に洗浄面が直接接触して、洗浄面や様々なアイテムを損傷する事を、緩衝材によって防止できると共に、前記軸体に穴部を設け、前記穴部より洗浄液あるいは、乾燥風を吐出する事により、高い洗浄性と迅速な乾燥を実現できるものである。
【発明を実施するための最良の形態】
【００２２】
第１の発明は、洗車機用洗浄ブラシを構成するチャンネルブラシはブラシ片及び緩衝材から形成されてある。緩衝材には、合成樹脂の中に気泡を含み、衝撃にたいし自由に変形する弾性で衝撃を緩和する合成樹脂発泡体等を使用する為、洗車中にチャンネル材あるいは、軸体が、洗浄面及び様々なアイテムに接触した場合、衝撃が吸収され、損傷を最小限に抑える事ができる。
【００２３】
第２の発明は、洗車機用洗浄ブラシにおいて、チャンネルブラシは、ブラシ片の外方に前記緩衝材が形成されてある。緩衝材により衝撃を和らげる効果は、前記第１の発明に記載と同様の効果があると共に、外方に前記緩衝材を配置する事により、チャンネル材及び軸体を前記緩衝材で表面を覆うことができ、被洗浄面に対し、主に鉄、ステンレス等の金属を使用するチャンネル材及び軸体が直接、接触する事を防止できる。また、ブラシ片及び緩衝材とチャンネル材相互のカシメ部位は、引張りあるいは、曲げ応力が集中し易く、破断しやすい部位であるが、前記カシメ部位、つまり、ブラシ片及び緩衝材ブラシ片においては、外方に位置する部位に、衝撃を和らげる緩衝材を配置する事により、前記の引張りあるいは、曲げ応力を効果的に軽減し、ブラシ片及び緩衝材の破断を防止できる。
【００２４】
第３の発明は、洗車機用洗浄ブラシにおいて、軸体は中空に形成されており、前記中空部に例えば、洗浄液等の液体を流通させ、軸体外周面に形成されてある穴部から吐出する。穴部から吐出される洗浄液は、合成樹脂発泡体の空胞を通過し、外面に向かい染み出し、洗浄ブラシに洗浄液を散布できる。また前記の如く、空胞を通過し、外面に向かい染み出した洗浄液により効果的な洗浄を実現できる。
【００２５】
第４の発明は、穴部がチャンネルブラシの幅Ｗ以上の開口幅にて形成されてある為、チャンネルブラシを軸体外周面にたいして、隣り合うチャンネルブラシの間に、所定の隙間を設けて巻きつけた場合においては、チャンネルブラシが穴部を完全に塞ぐことが無い。
【００２６】
第５の発明は、上記第１の発明から第４の発明のいずれか１項に記載の洗車機用洗浄ブラシを搭載した洗車機である為、緩衝材により被洗浄面あるいは、自動車の各種部品に損傷を加えることが無いと共に、前記緩衝材により、ブラシ片が破断することが無く、長期間に渡って洗車機用洗浄ブラシの洗浄性等の初期性能を持続できる。また、軸体内部に例えば、洗浄液を供給し、連通した穴部より洗浄液を吐出することで、洗車機用洗浄ブラシに洗浄液を散布して洗浄効果を高める事ができる。さらに、前記軸体内部に例えば、乾燥風を供給し、連通した穴部より吐出することで、洗浄面の迅速な乾燥が可能となる洗車機を提供する事ができる。
【００２７】
以下、本発明の実施の形態について図面を参照しながら説明する。なお、この実施の形態により本発明が限定されるものではない。
【００２８】
（実施例１）
図１から図２にて実施例１を示す。図１は、本発明の洗車機用洗浄ブラシの断面図である。図２は、図１の洗車機用洗浄ブラシの軸体の斜視図である。
【００２９】
洗車機用洗浄ブラシ１は、図１の如く、軸体７の外周部に、チャンネルブラシ１０が互いに隙間Ｗ３を有して巻きつけ形成されてある。また、チャンネルブラシ１０は、チャンネル材４の既Ｃ字状断面溝部と抜け止めの芯線５の間にブラシ片２及び緩衝材３を挟み付けて折り込んだ後、チャンネル材４を内方にカシメ固定されてある。
【００３０】
また、図１の穴部６の幅Ｗ１は、チャンネルブラシ１０の底部の幅Ｗよりも広い幅を有している。
【００３１】
さらに図１の軸体７は、少なくとも一端部から液体、あるいは気体が供給され軸体７の外周面から直接吐出する経路８と、軸体７から緩衝材３を透過し染み出す経路９が形成されてある。
【００３２】
また、軸体７は、図２の如く、既円筒中空形状を有している。また軸体７の外周部には、穴部６が形成されてある。
【００３３】
また、図１の如く、軸体７の外周部に捩りを加えて螺旋状に巻き付けられてあるチャンネルブラシ１０は、緩衝材３がブラシ片２の外側になるよう芯線５とチャンネル材４に挟み付けられてある。
【００３４】
また、チャンネルブラシ１０に挟まれている緩衝材３は、主に合成樹脂発泡体で形成されており、前記合成樹脂発泡体の空房層を通り、液体あるいは、気体を透過することができる。
【００３５】
なお、洗車機用洗浄ブラシの構造に関しては、特に限定されるものではなく、上記の如くの構造以外にも、使用目的に応じて、適時、設定することができる。また、緩衝材３の材質についても、上記の合成樹脂発泡体以外にも、チャンネルブラシに形成可能な材質であれば、例えば、織布、不織布、織物等の各種布帛、フィルム樹脂組成物等、適時、採用できる。
【００３６】
次に、図１にて本発明の洗車機用洗浄ブラシ１の洗浄時の状態を説明する。車体面等の被洗浄面には、砂塵及び、膜層汚れ等の各種の汚れが付着している。また、被洗浄面に複数のブラシ片２が回転しながら当接する事により、複数の接触面が形成される。砂塵及び膜層汚れ等は、ブラシ片２の複数の中間部にて捕捉される。次に、ブラシ片２が被洗浄面を押し付ける事により、複数の中間部にて捕捉された砂塵及び膜層汚れ等は、被洗浄面上から掻き出されるように剥離する。
【００３７】
また、図１のチャンネルブラシ１０は、前記ブラシ片２の他、合成樹脂発泡体等を使用された緩衝材３で、主に金属で形成されてあるチャンネル材４の端部及び軸体７表面を覆うように配置されて、軸体７の外周部に概円筒状の緩衝材３にて形成された端面１１が形成されてある。チャンネルブラシ１０は上記の形状が採用されてある為、ブラシ片２が砂塵及び膜層汚れ等の汚れを被洗浄面から剥離させて除去する際に、被洗浄面にチャンネル材４の端部及び軸体表面１２が直接接触する事が無く、被洗浄面やワイパー、バックミラー等の自動車の各種部品に傷を付ける事が無い。また、洗車機用洗浄ブラシ１を被洗浄面にたいして、過度に押し付けた場合においても、端面１１が被洗浄面に接触する為、軸体７に接触することを防止できる。
【００３８】
さらに、図１のチャンネルブラシ１０は、前記ブラシ片２の他、合成樹脂発泡体等にて形成されてある緩衝材３が、チャンネル材４にて、くい込む形でカシメ固定されてある為、特にチャンネル材４の端部で前記ブラシ片２及び緩衝材３に引張りあるいは、曲げ応力が集中しやすい。図１の本発明の実施の形態によるチャンネルブラシ１０においては、前記の引張りあるいは、曲げ応力が集中しやすいチャンネル材４の端部に接する部材には、弾性を有する緩衝材３を使用した場合にあっては、外部応力を変形により分散できる為、外部からの加圧力を効率よく吸収し、チャンネルブラシ４の端部にて緩衝材３が破断する事が無い。
【００３９】
また、図１の洗車機用洗浄ブラシ１の軸体７には、図１のチャンネルブラシ１０の底部の幅Ｗよりも幅の広い、幅Ｗ１を有する穴部６が、形成されてある。チャンネルブラシ１０は互いのチャンネルブラシ１０間に所定の隙間Ｗ２が形成される様、軸体７に巻きつけられてある。穴部６には、直接吐出する経路８と、軸体７から緩衝材３を透過し染み出す経路９が形成されてある。前記の如く、洗車機用洗浄ブラシ１には、一連の流通経路が確保されており、洗浄面の洗浄液による効果的な洗浄及び、乾燥風による迅速な乾燥を可能としている。さらには、穴部６が、チャンネルブラシ１０の底部の幅Ｗよりも幅の広い、幅Ｗ１を有している為、チャンネルブラシ１０が穴部６を完全に塞ぐ事が無く、確実に緩衝材３を透過し、直接吐出する経路８及び、染み出す経路９を確保する事ができる。
【００４０】
また、洗車後、直接吐出する経路８と、軸体７から緩衝材３を透過し、染み出す経路９から、乾燥風を洗浄水等で濡れたブラシ片１に供給することができる為、冬季におけるブラシ片１の凍結を防止する事ができる。
【００４１】
(実施例２)
図３にて、実施例２を示す。図３は、本発明の洗車機用洗車ブラシ１を搭載した洗車機の正面図である。
【００４２】
図３において、洗車機２０は、本発明の洗車機用洗浄ブラシ１が駆動源２１により回転駆動され、ノズル２２から被洗浄面である車体にたいして、洗浄液、及び洗浄水が散布され、洗車機用洗浄ブラシ１により,洗浄され、洗浄後は洗車機２０の乾燥手段である乾燥機２３により車体が乾燥される。
【００４３】
また、洗車機用洗浄ブラシ１の軸体７の穴部６から直接、車体にたいして、洗浄液、洗浄水、風等の流体が噴霧され、前記流体の噴霧に伴う水圧やエアー圧により、砂塵等の汚れが吹き飛ばす事ができる。
【００４４】
本発明の洗車機用洗浄ブラシのチャンネルブラシ１０を配した、洗車機用洗浄ブラシ１が搭載されてある洗車機２０の動作、作用は下記の通りである。
【００４５】
洗車機２０は、高い洗浄性を有するチャンネルブラシ１０を配した、洗車機用洗浄ブラシ１が搭載されてある。その為、洗車機２０は、駆動源２１により洗車機用洗浄ブラシ１を高速回転に設定すると共に、洗浄時間を短時間に設定した場合においても、洗浄残りの無い高い洗浄性を発揮することができる。
【００４６】
また、洗車機２０は、高い安全性を有する洗車機用洗浄ブラシ１が搭載されてある。その為、洗車機２０は、洗浄時に車体面等被洗浄面に損傷を与える事無く洗い上げることができる。
【００４７】
また、洗浄液あるいは、乾燥風供給装置２１を備え、洗浄液を供給することにより高い洗浄性と、乾燥風を供給することにより迅速な乾燥を実現できる。
【産業上の利用可能性】
【００４８】
本発明の洗車機用洗浄ブラシは、主に、自動車あるいは車両の外面の被洗浄面に付着した汚れ等を洗浄する為の洗車機に搭載する洗車機用洗浄ブラシとして使用する。
【図面の簡単な説明】
【００４９】
【図１】本発明の洗車機用洗浄ブラシの断面図
【図２】本発明の洗車機用洗浄ブラシの軸体の斜視図
【図３】本発明の洗車機用洗浄ブラシを搭載した洗車機の正面図
【符号の説明】
【００５０】
１  洗車機用洗浄ブラシ  
２  ブラシ片
３  緩衝材
４  チャンネル材
５  芯線
６  穴部
７  軸体
８  経路
９  経路
１０  チャンネルブラシ
１１  端面
１２  軸体表面
２０  洗車機
２１  駆動源
２２  ノズル
２３  乾燥機
【図１】
2007313976.tif 000003
【図２】
2007313976.tif 000004
【図３】
2007313976.tif 000005